(57)【要約】【課題】遊技機において、横寸法の制約を満たしつつ、大がかりで興趣性の高い演出を行う。【解決手段】収容状態では、演出物収容部１２１内に、演出役物１２２、ハーフミラー板１２３及び画像表示部１２４を収容する。一方、演出状態では、これらの部材１２２，１２３，１２４を移動させて、遊技者１３０の前方斜め上方向にハーフミラー板１２３を略水平に配置すると共に、このハーフミラー板１２３の上方に演出役物１２２を配置し、更に、そのハーフミラー板１２３の下方に画像表示部１２４を配置した状態へ移行する。これにより、画像表示部１２４がハーフミラー板１２３に投影して反射した画像と、そのハーフミラー板１２３を透過した演出役物１２２の像とを遊技者１３０に同時に視認させることができる。【選択図】図２
2017086681.tif 000002
【特許請求の範囲】
【請求項１】
遊技者に遊技を行わせるための遊技部と、該遊技部の上方に配置された演出部とを備え、
該演出部は、
前記遊技者の前方斜め上方向に配置される反射手段と、
該反射手段の下方に、該反射手段と第１角度を成すように配置されて、該反射手段に投影して反射した画像を前記遊技者に視認させる画像表示部と、
を備えることを特徴とする遊技機。
【請求項２】
前記反射手段はハーフミラー板であり、
該ハーフミラー板の上方に、該ハーフミラー板と第２角度を成すように演出役物が配置され、
該ハーフミラー板に前記画像表示部が投影して反射した画像と、該ハーフミラー板を透過した前記演出役物の像とを、前記遊技者に同時に視認させるようにした、
ことを特徴とする請求項１に記載の遊技機。
【請求項３】
前記演出部は、
前記遊技部の上方から前記遊技者側に突設されて、前記演出役物、前記ハーフミラー板及び前記画像表示部を収容する演出物収容部を備え、
収容状態では、該演出役物、該ハーフミラー板及び該画像表示部を、該演出物収容部の内部に収容して、該演出役物の像及び該画像表示部の画像を前記遊技者に視認させないようにし、
演出状態では、該演出役物、該ハーフミラー板及び該画像表示部を所定位置に移動させて、該演出役物の像及び該画像表示部の画像を該遊技者に同時に視認させる、
ことを特徴とする請求項２に記載の遊技機。
【請求項４】
前記演出部は、
前記収容状態では、前記演出物収容部に、前記演出役物、前記ハーフミラー板及び前記画像表示部を、それらの相互角度が前記第１及び第２角度に固定された状態で収容し、
該収容状態から前記演出状態に移行する際に、該演出役物、該ハーフミラー板及び該画像表示部を、それらの相互角度を保ったまま上方へ回転移動させる、
ことを特徴とする請求項３に記載の遊技機。
【請求項５】
前記演出部は、
前記収容状態では、前記演出物収容部の前記遊技者側に、前記演出役物を収容すると共に、該演出物収容部の前記遊技部側に、前記ハーフミラー板と前記画像表示部とをそれらの相互角度が前記第１角度に固定された状態で収容し、
該収容状態から前記演出状態に移行する際に、該演出役物を上方へ回転移動させると共に、該ハーフミラー板及び該画像表示部をそれらの相互角度を保ったまま前記遊技者に近づく方向に略水平にシフト移動させたのちそれらの相互角度を保ったまま上方へ回転移動させる、
ことを特徴とする請求項３に記載の遊技機。
【請求項６】
前記演出部は、
前記収容状態では、前記演出物収容部に、前記演出役物、前記ハーフミラー板及び前記画像表示部を、前記遊技者側の斜め下方向に傾斜させた状態で相互に略平行に収容し、
該収容状態から前記演出状態に移行する際に、該演出役物を上方へ回転移動させると共に、該ハーフミラー板及び該画像表示部を、前記遊技者に近づく方向に略水平にシフト移動させたのち上方へ回転移動させる、
ことを特徴とする請求項３に記載の遊技機。
【請求項７】
前記演出部は、
前記収容状態では、前記演出物収容部に、前記演出役物を傾斜させた状態で収容すると共に、前記ハーフミラー板及び前記画像表示部を略水平に収容し、
該収容状態から前記演出状態に移行する際に、該演出役物及び該画像表示部を回転移動させると共に、該ハーフミラー板を前記遊技者に近づく方向にシフト移動させる、
ことを特徴とする請求項３に記載の遊技機。
【発明の詳細な説明】
【技術分野】
【０００１】
この発明は、例えばパチンコ機やスロットマシン、ゲーム機等の遊技機に関する。
【背景技術】
【０００２】
パチンコ機等の遊技機において、ハーフミラーやディスプレイを用いたものとしては、例えば、下記特許文献１、２に記載されたものが知られている。
【０００３】
特許文献１の遊技機では、主表示面に設けられた被合成物（背景模型等）の像と、遊技球の像と、液晶パネルが投影した画像とを、ハーフミラーで合成して遊技者に視認させることで、遊技の演出を行っている。そして、この液晶パネルを昇降させることによって、その演出効果を高めている。
【０００４】
また、特許文献２の遊技機では、ハーフミラーを遊技台の上方に配置し、そのハーフミラーの背後に画像表示部を配置すると共に、そのハーフミラーの下方に操作部を配置し、遊技者が、画像表示部の画像と操作部の像とをハーフミラーで同時に視認させることで、その操作部を操作する際の操作性を高めている。
【先行技術文献】
【特許文献】
【０００５】
【特許文献１】特開２０１５−３７７０５号公報
【特許文献２】特開２０１０−２２６６５号公報
【発明の概要】
【発明が解決しようとする課題】
【０００６】
しかしながら、上記特許文献１では、ハーフミラーやディスプレイを用いた表示機構を、その主表示面に配置している。このため、例えばパチンコ機のように、横方向の寸法に制約がある場合には、大がかりで興趣性の高い演出を行うことは困難である。
【０００７】
一方、上記特許文献２では、ハーフミラーを遊技機の上部に配置しているため、遊技者からは見やすい。しかし、特許文献２の機構では、画像表示と合成することによって、操作部を見やすくすることを目的としており、演出効果を高める趣旨のものではない。
【０００８】
この発明は、このような従来の欠点に鑑みて成されたものであり、寸法上の制約を満たしつつ、大がかりで興趣性の高い演出を行うことができる遊技機を提供することを課題とする。
【課題を解決するための手段】
【０００９】
請求項１の発明に係る遊技機は、遊技者に遊技を行わせるための遊技部と、該遊技部の上方に配置された演出部とを備え、該演出部は、前記遊技者の前方斜め上方向に配置される反射手段と、該反射手段の下方に、該反射手段と第１角度を成すように配置されて、該反射手段に投影して反射した画像を前記遊技者に視認させる画像表示部と、を備えることを特徴とする。
【００１０】
請求項２の発明は、請求項１に記載の構成に加えて、前記反射手段はハーフミラー板であり、該ハーフミラー板の上方に、該ハーフミラー板と第２角度を成すように演出役物が配置され、該ハーフミラー板に前記画像表示部が投影して反射した画像と、該ハーフミラー板を透過した前記演出役物の像とを、前記遊技者に同時に視認させるようにした、ことを特徴とする。
【００１１】
請求項３の発明は、請求項２に記載の構成に加えて、前記演出部は、前記遊技部の上方から前記遊技者側に突設されて、前記演出役物、前記ハーフミラー板及び前記画像表示部を収容する演出物収容部を備え、収容状態では、該演出役物、該ハーフミラー板及び該画像表示部を、該演出物収容部の内部に収容して、該演出役物の像及び該画像表示部の画像を前記遊技者に視認させないようにし、演出状態では、該演出役物、該ハーフミラー板及び該画像表示部を所定位置に移動させて、該演出役物の像及び該画像表示部の画像を該遊技者に同時に視認させる、ことを特徴とする。
【００１２】
請求項４の発明は、請求項３に記載の構成に加えて、前記演出部は、前記収容状態では、前記演出物収容部に、前記演出役物、前記ハーフミラー板及び前記画像表示部を、それらの相互角度が前記第１及び第２角度に固定された状態で収容し、該収容状態から前記演出状態に移行する際に、該演出役物、該ハーフミラー板及び該画像表示部を、それらの相互角度を保ったまま上方へ回転移動させる、ことを特徴とする。
【００１３】
請求項５の発明は、請求項３に記載の構成に加えて、前記演出部は、前記収容状態では、前記演出物収容部の前記遊技者側に、前記演出役物を収容すると共に、該演出物収容部の前記遊技部側に、前記ハーフミラー板と前記画像表示部とをそれらの相互角度が前記第１角度に固定された状態で収容し、該収容状態から前記演出状態に移行する際に、該演出役物を上方へ回転移動させると共に、該ハーフミラー板及び該画像表示部をそれらの相互角度を保ったまま前記遊技者に近づく方向に略水平にシフト移動させたのちそれらの相互角度を保ったまま上方へ回転移動させる、ことを特徴とする。
【００１４】
請求項６の発明は、請求項３に記載の構成に加えて、前前記演出部は、前記収容状態では、前記演出物収容部に、前記演出役物、前記ハーフミラー板及び前記画像表示部を、前記遊技者側の斜め下方向に傾斜させた状態で相互に略平行に収容し、該収容状態から前記演出状態に移行する際に、該演出役物を上方へ回転移動させると共に、該ハーフミラー板及び該画像表示部を、前記遊技者に近づく方向に略水平にシフト移動させたのち上方へ回転移動させる、ことを特徴とする。
【００１５】
請求項７の発明は、請求項３に記載の構成に加えて、前記演出部は、前記収容状態では、前記演出物収容部に、前記演出役物を傾斜させた状態で収容すると共に、前記ハーフミラー板及び前記画像表示部を略水平に収容し、該収容状態から前記演出状態に移行する際に、該演出役物及び該画像表示部を回転移動させると共に、該ハーフミラー板を前記遊技者に近づく方向にシフト移動させる、ことを特徴とする。
【発明の効果】
【００１６】
請求項１の発明によれば、遊技者の前方斜め上方向に反射手段を配置し、この反射手段の下方に画像表示部を配置することにしたので、遊技機の横方向の寸法を増大させること無しに、大がかりで興趣性の高い演出を行うことが、容易になる。
【００１７】
請求項２の発明によれば、反射手段としてハーフミラー板を使用すると共に、このハーフミラー板の上方に演出役物を配置し、そのハーフミラー板に画像表示部が投影して反射した画像と、そのハーフミラー板を透過した演出役物の像とを遊技者に同時に視認させるようにしたので、遊技機の横方向の寸法を増大させること無しに、非常に大がかりで興趣性の高い演出を行うことができる。
【００１８】
請求項３の発明によれば、演出状態でのみ、演出役物の像や画像表示部の画像を遊技者に視認させることができるので、興趣性を更に高めることができる。
【００１９】
請求項４の発明によれば、演出役物、ハーフミラー板及び画像表示部を、演出状態における相互角度のまま収容するので、これらを演出物収容部から外部に移動させる機構を簡単にでき、従って安価である。
【００２０】
請求項５の発明によれば、ハーフミラー板及び画像表示部をシフトさせた後で回転させることとしたので、演出物収容部の高さ寸法を抑えることが容易になり、従って、遊技者の見やすい高さにハーフミラー板を配置することが容易になる。
【００２１】
請求項６の発明によれば、演出役物、ハーフミラー板及び該画像表示部を、演出収容部内に、前記遊技者側の斜め下方向に相互に略平行に収容しておくので、演出物収容部の高さ寸法を非常に小さく抑えることができ、従って、遊技者に見やすい高さにハーフミラー板を配置することが非常に容易になる。
【００２２】
請求項７の発明によれば、演出役物、ハーフミラー板を、シフトのみの動作で演出物収容部の外側に移動させるので、演出物収容部の高さ寸法を非常に小さく抑えることができ、従って、遊技者に見やすい高さにハーフミラー板を配置することが非常に容易になる。
【図面の簡単な説明】
【００２３】
【図１】この発明の実施の形態１に係る遊技機の正面図である。
【図２】この発明の実施の形態１に係る遊技機の側面図であり、（ａ）は収容状態、（ｂ）は演出状態を示す。
【図３】この発明の実施の形態２に係る遊技機の側面図であり、（ａ）は収容状態、（ｂ）は演出状態を示す。
【図４】この発明の実施の形態３に係る遊技機の側面図であり、（ａ）は収容状態、（ｂ）は演出状態を示す。
【図５】この発明の実施の形態４に係る遊技機の側面図であり、（ａ）は収容状態、（ｂ）は演出状態を示す。
【図６】この発明の実施の形態５に係る遊技機の正面図である。
【図７】この発明の実施の形態５に係る遊技機の側面図である。
【発明を実施するための形態】
【００２４】
［発明の実施の形態１］
この発明の実施の形態１に係る遊技機について、パチンコ機の場合を例に採り、図１及び図２を用いて説明する。
【００２５】
図１及び図２に示したように、この実施の形態１に係るパチンコ機１００は、遊技部１１０と、演出部１２０とを備えている。
【００２６】
遊技部１１０は、遊技盤１１１や遊技球発射ハンドル１１２等を備えている。この遊技部１１０の構成は、通常のパチンコ機の場合と同様で良いため、詳細な説明を省略する。
【００２７】
演出部１２０は、演出物収容部１２１を備えている。この演出物収容部１２１は、遊技部１１０の上方から遊技者１３０側に突設されている。そして、この演出物収容部１２１は、図１及び図２に示したように、底板１２１ａと、天板１２１ｂと、２枚の側板１２１ｃと、前面板１２１ｄとを備えおり、遊技者１３０側の上方に開口１２１ｅが設けられている。
【００２８】
この演出物収容部１２１には、演出役物１２２、ハーフミラー板１２３及び画像表示部１２４が収容される（図２（ａ）参照）。後述するように、これら演出役物１２２、ハーフミラー板１２３及び画像表示部１２４は、図示しない駆動手段によって、開口１２１ｅの上方外側まで回転移動する（図２（ｂ）参照）。この出願では、演出役物１２２、ハーフミラー板１２３及び画像表示部１２４が演出物収容部１２１に収容された状態を「収容状態」と記し、開口１２１ｅの外に移動した状態を「演出状態」と記す。
【００２９】
演出役物１２２は、パチンコ機１００に取り付けられて、遊技者１３０の興趣性を高めるための、演出用の可動部品である。この実施の形態１では、演出役物の種類は特に限定されず、何でもよい。
【００３０】
ハーフミラー板１２３は、演出状態において、この演出役物１２２の像を屈折させ、遊技者１３０に視認させる（図２（ｂ）の符号Ｂ参照）。更に、ハーフミラー板１２３は、この演出状態において、画像表示部１２４から投影された画像を反射して、遊技者１３０に視認させる（図２（ｂ）の符号Ｃ参照）。これにより、遊技者１３０は、演出役物１２２の像と画像表示部１２４と画像とを、重なり合った状態で同時に視認することになる。
【００３１】
なお、本願において、「ハーフミラー板」の語は、透過光と反射光とを合成できる全ての光学的手段を含み、例えば透過率と反射率とが等しくないものや、ミラー以外の光学素子（例えばレンズ等）を用いたものを含むものとする。
【００３２】
画像表示部１２４は、ハーフミラー板１２３に画像を投影するためのディスプレイである。画像表示部１２４としては、例えば液晶ディスプレイを使用できるが、他の方式のディスプレイを採用してもよい。画像表示部１２４の投影画像は、二次元画像であっても良いし、三次元画像であっても良いが、演出効果を高めるためには三次元画像が特に有効である。
【００３３】
この実施の形態１では、ハーフミラー板１２３を用いて、遊技者１３０に、演出役物１２２の像と画像表示部１２４の画像とを重なり合った状態で同時に視認させるために、ハーフミラー板１２３と、演出役物１２２（ここでは、演出役物１２２のうち、遊技者１３０に視認させたい面を意味する）や画像表示部１２４（ここでは、画像表示部１２４の画面を意味する）とを、相互に鋭角を成すように配置する。以下の説明では、ハーフミラー板１２３と画像表示部１２４とが成す角を第１角度θ１とし、このハーフミラー板１２３と演出役物１２２とが成す角を第２角度θ２とする。
【００３４】
なお、この発明において、演出役物１２２は必須ではなく、後述の画像表示部１２４による投影画像のみを遊技者１３０に視認させても良い。その場合、ハーフミラー板１２３に代えて、全反射型の反射手段（例えば通常のミラー板）を使用してもよい。
【００３５】
遊技者１３０は、例えば着座した状態で、遊技部１１０の遊技盤１１１と向き合う。遊技盤１１１と遊技者１３０との距離は、例えば６００ｍｍである。
【００３６】
次に、この実施の形態１に係る演出部１２０の動作について説明する。
【００３７】
上述のように、収容状態では、演出役物１２２、ハーフミラー板１２３及び画像表示部１２４が演出物収容部１２１に収容されている（図２（ａ）参照）。この実施の形態１では、この収容状態において、ハーフミラー板１２３と画像表示部１２４との成す角は第１角度θ１であり、且つ、このハーフミラー板１２３と演出役物１２２との成す角は第２角度θ２である。また、このとき、前面板１２１ｄが視界を遮るために、遊技者１３０は、演出役物１２２、ハーフミラー板１２３及び画像表示部１２４を視認できない（図２（ａ）の符号Ａ参照）。
【００３８】
そして、遊技中に、所定のタイミング（例えば、遊技の状態が、いわゆる‘大当たり’になったタイミング等）で、演出部１２０が、収容状態から演出状態へ移行する。この移行動作では、図示しない移動機構が、演出役物１２２、ハーフミラー板１２３及び画像表示部１２４を、演出物収容部１２１の開口１２１ｅの上方外側まで、回転移動させる（図２（ｂ）の符号Ｄ参照）。これにより、遊技者１３０の前方斜め上方向（例えば５０゜〜６５゜程度）にハーフミラー板１２３が略水平に配置され、このハーフミラー板１２３の上方に演出役物１２２が第２角度θ２で配置され、且つ、このハーフミラー板１２３の下方に画像表示部１２４が第１角度θ１で配置された状態になる。なお、図２（ｂ）に示したように、ハーフミラー板１２３は、完全な水平に配置される必要は無く、遊技者１３０が見やすいように若干傾斜させても良い。
【００３９】
上述のように、収容状態で、ハーフミラー板１２３と画像表示部１２４とは第１角度θ１を成しており、且つ、このハーフミラー板１２３と演出役物１２２とは第２角度θ２を成している。従って、この実施の形態１では、これらの角度θ１，θ２を変更すること無しに、これらの部材１２２，１２３，１２４をそのまま回転させるだけで、演出役物１２２の像及び画像表示部１２４を重ね合わせた像が、ハーフミラー板１２３を介して、遊技者１３０に視認され得る状態になる（図２（ｂ）参照）。
【００４０】
また、上述のように、収容状態では、演出役物１２２等は、演出物収容部１２１の前面板１２１ｄに遮られて、遊技者１３０には見えない。従って、この遊技者１３０にとっては、演出状態で、演出役物１２２の像及び画像表示部１２４を重ね合わせた像が突然登場することになり、これによって、興趣性の高い演出効果が得られる。
【００４１】
演出状態へ移行したのち、上記移動機構は、所定のタイミング（例えば、いわゆる‘フィーバー’が終了するタイミング等）で、演出部１２０を、収容状態へ戻す。この動作では、上述の移動機構が、上述の場合とは逆方向に回転移動させて、演出役物１２２、ハーフミラー板１２３及び画像表示部１２４を、演出物収容部１２１の内部に収容する（図２（ａ）参照）。
【００４２】
その後も、演出部１２０は、予め定めたタイミングで、収容状態から演出状態への移行と、演出状態から収容状態への復帰とを繰り返す。これにより、パチンコ機１００の演出効果を、非常に興趣性の高いものにできる。
【００４３】
以上説明したように、この実施の形態１では、演出状態で、遊技者１３０の前方斜め上方向にハーフミラー板１２３を略水平に配置すると共に、このハーフミラー板１２３の上方に演出役物１２２を配置し、更に、そのハーフミラー板１２３の下方に画像表示部１２４を配置した。これにより、この実施の形態１によれば、画像表示部１２４がハーフミラー板１２３に投影して反射した画像と、そのハーフミラー板１２３を透過した演出役物１２２の像とを遊技者１３０に同時に視認させることができるので、パチンコ機１００の横方向の寸法を増大させること無しに、非常に大がかりで興趣性の高い演出を行うことができる。
【００４４】
更に、この実施の形態１によれば、遊技部１１０の上方から遊技者１３０側に演出物収容部１２１を突設し、演出状態でのみ、演出役物１２２の像や画像表示部１２４の画像を遊技者１３０に視認させるので、非常に高い興趣性を得ることができる。
【００４５】
加えて、この実施の形態１によれば、演出役物１２２、ハーフミラー板１２３及び画像表示部１２４を、演出状態における相互角度（すなわち、第１、第２角度θ１，θ２）のまま収容して、その角度を変更すること無く演出状態へ移行するので、これらの部材１２２，１２３，１２４を演出物収容部１２１から外部に移動させる機構を簡単にでき、従って安価である。
【００４６】
［発明の実施の形態２］
この発明の実施の形態２に係る遊技機について、パチンコ機の場合を例に採り、図３を用いて説明する。
【００４７】
なお、図３において、図１及び図２と同じ符号を附した構成要素は、これら図１及び図２と同じものを示している。
【００４８】
また、この実施の形態２に係るパチンコ機２００の正面から見た外観は、上述の実施の形態１の場合（図１参照）と同様である。
【００４９】
この実施の形態２では、収容状態（図３（ａ）参照）における、ハーフミラー板１２３と画像表示部１２４との成す角は、上述の実施の形態１と同様、第１角度θ１に固定されている。一方、このハーフミラー板１２３と演出役物１２２とは、略平行に収容される。この演出役物１２２は、遊技者１３０側に収容され、また、ハーフミラー板１２３及び画像表示部１２４は、演出役物１２２の後方（遊技部１１０側）に収容される。このとき、前面板１２１ｄが視界を遮るために、遊技者１３０は、演出役物１２２、ハーフミラー板１２３及び画像表示部１２４を視認できない（図３（ａ）の符号Ａ参照）。
【００５０】
この実施の形態２において、収容状態から演出状態（図３（ｂ）参照）に移行する際には、まず、演出役物１２２を上方へ回転移動させ（図３（ｂ）の符号Ｇ参照）、次に、ハーフミラー板１２３及び画像表示部１２４をそれらの相互角度（すなわち第１角度θ１）を保ったまま、遊技者１３０に近づく方向に略水平にシフト移動させる（図３（ｂ）の符号Ｈ参照）。
【００５１】
その後、ハーフミラー板１２３及び画像表示部１２４を、相互角度θ１を保ったまま上方へ回転移動させる。そして、ハーフミラー板１２３を略水平にすることで、このハーフミラー板１２３と演出役物１２２とが成す角度を第２角度θ２に設定する（図３（ｂ）の符号Ｉ参照）。
【００５２】
これにより、このハーフミラー板１２３に、この演出役物１２２の像を屈折させると共に、画像表示部１２４から投影された画像を反射させることができる状態になり（図３（ｂ）の符号Ｂ，Ｃ参照）、その結果、遊技者１３０に、演出役物１２２の像と画像表示部１２４の画像とを、重なり合った状態で同時に視認させることが可能になる。
【００５３】
以上説明したように、この実施の形態２では、上述の実施の形態１と同様、演出状態で、遊技者１３０の前方斜め上方向にハーフミラー板１２３を略水平に配置すると共に、このハーフミラー板１２３の上方に演出役物１２２を配置し、更に、そのハーフミラー板１２３の下方に画像表示部１２４を配置した。これにより、この実施の形態２によれば、画像表示部１２４がハーフミラー板１２３に投影して反射した画像と、そのハーフミラー板１２３を透過した演出役物１２２の像とを遊技者１３０に同時に視認させることができるので、パチンコ機２００の横方向の寸法を増大させること無しに、非常に大がかりで興趣性の高い演出を行うことができる。
【００５４】
更に、上述の実施の形態１と同様、遊技部１１０の上方から遊技者１３０側に演出物収容部１２１を突設し、演出状態でのみ、演出役物１２２の像や画像表示部１２４の画像を遊技者１３０に視認させるので、非常に高い興趣性を得ることができる。
【００５５】
加えて、この実施の形態２では、ハーフミラー板１２３及び画像表示部１２４を、収容状態では、演出役物１２２の後方に収容する一方、演出状態に移行する際には、遊技者１３０に近づく方向に略水平にシフト移動させた後で、上方へ回転移動させることとした。これにより、この実施の形態２では、上述の実施の形態１と異なり、ハーフミラー板１２３及び画像表示部１２４を下方向に回転移動させる必要が無くなる。その結果、この実施の形態２によれば、演出物収容部１２１の高さ寸法Ｘ１（図３（ａ）参照）を抑えることが容易になり、従って、遊技者１３０の見やすい高さにハーフミラー板１２３や遊技盤１１１を配置することが容易になる。
【００５６】
［発明の実施の形態３］
この発明の実施の形態３に係る遊技機について、パチンコ機の場合を例に採り、図４を用いて説明する。
【００５７】
なお、図４において、図１及び図２と同じ符号を附した構成要素は、これら図１及び図２と同じものを示している。
【００５８】
また、この実施の形態３に係るパチンコ機３００の正面から見た外観は、上述の実施の形態１の場合（図１参照）と同様である。
【００５９】
この実施の形態３では、収容状態（図４（ａ）参照）では、演出役物１２２、ハーフミラー板１２３及び画像表示部１２４が、遊技者１３０側の斜め下方向に傾斜させた状態で、相互に略平行に収容される。このとき、前面板１２１ｄが視界を遮るために、遊技者１３０は、演出役物１２２、ハーフミラー板１２３及び画像表示部１２４を視認できない（図４（ａ）の符号Ａ参照）。
【００６０】
そして、この実施の形態３において、収容状態から演出状態（図４（ｂ）参照）に移行する際には、まず、演出役物１２２を上方へ回転移動させ（図４（ｂ）の符号Ｊ参照）、次に、ハーフミラー板１２３及び画像表示部１２４を、遊技者１３０に近づく方向に略水平にシフト移動させる（図４（ｂ）の符号Ｋ参照）。
【００６１】
その後、ハーフミラー板１２３及び画像表示部１２４を、上方へ回転移動させて、ハーフミラー板１２３を略水平に設定すると共に、このハーフミラー板１２３と演出役物１２２とが成す角度を第２角度θ２、このハーフミラー板１２３と画像表示部１２４とが成す角度を第１角度θ１に、それぞれ設定する（図４（ｂ）の符号Ｌ参照）。
【００６２】
これにより、このハーフミラー板１２３に、この演出役物１２２の像を屈折させると共に、画像表示部１２４から投影された画像を反射させることができる状態になり（図４（ｂ）の符号Ｂ，Ｃ参照）、その結果、遊技者１３０に、演出役物１２２の像と画像表示部１２４の画像とを、重なり合った状態で同時に視認させることが可能になる。
【００６３】
以上説明したように、この実施の形態３では、上述の実施の形態１、２と同様、演出状態で、遊技者１３０の前方斜め上方向にハーフミラー板１２３を略水平に配置すると共に、このハーフミラー板１２３の上方に演出役物１２２を配置し、更に、そのハーフミラー板１２３の下方に配置した。これにより、この実施の形態３によれば、画像表示部１２４がハーフミラー板１２３に投影して反射した画像と、そのハーフミラー板１２３を透過した演出役物１２２の像とを遊技者１３０に同時に視認させることができるので、パチンコ機３００の横方向の寸法を増大させること無しに、非常に大がかりで興趣性の高い演出を行うことができる。
【００６４】
更に、上述の実施の形態１、２と同様、遊技部１１０の上方から遊技者１３０側に演出物収容部１２１を突設し、演出状態でのみ、演出役物１２２の像や画像表示部１２４の画像を遊技者１３０に視認させるので、非常に高い興趣性を得ることができる。
【００６５】
加えて、この実施の形態３では、演出役物１２２、ハーフミラー板１２３及び画像表示部１２４を、演出状態におけるハーフミラー板１２３の配置位置（ここでは、略水平な位置）と鋭角を成す方向に、それぞれ略同じ角度だけ傾斜させた状態で収容することにした。これにより、この実施の形態３によれば、演出物収容部１２１の高さ寸法Ｘ２（図４（ａ）参照）を抑えることが、上述の実施の形態２の場合よりも更に容易になり、従って、遊技者１３０の見やすい高さにハーフミラー板１２３や遊技盤１１１を配置することが非常に容易になる。
【００６６】
［発明の実施の形態４］
この発明の実施の形態４に係る遊技機について、パチンコ機の場合を例に採り、図５を用いて説明する。
【００６７】
なお、図５において、図１及び図２と同じ符号を附した構成要素は、これら図１及び図２と同じものを示している。
【００６８】
また、この実施の形態４に係るパチンコ機４００の正面から見た外観は、上述の実施の形態１の場合（図１参照）と同様である。
【００６９】
この実施の形態４では、収容状態（図５（ａ）参照）では、演出役物１２２を傾斜させた状態で収容すると共に、ハーフミラー板１２３及び画像表示部１２４は略水平に収容される。このとき、前面板１２１ｄが視界を遮るために、遊技者１３０は、演出役物１２２、ハーフミラー板１２３及び画像表示部１２４を視認できない（図５（ａ）の符号Ａ参照）。
【００７０】
そして、この実施の形態４において、収容状態から演出状態（図５（ｂ）参照）に移行する際には、まず、演出役物１２２を上方へ回転移動させ（図５（ｂ）の符号Ｍ参照）、次に、ハーフミラー板１２３を水平方向にシフト移動させると共に（図５の符号Ｍ参照）、画像表示部１２４を回転移動させることで（図５（ｂ）の符号Ｐ参照）、このハーフミラー板１２３と演出役物１２２とが成す角度を第２角度θ２、このハーフミラー板１２３と画像表示部１２４とが成す角度を第１角度θ１に、それぞれ設定する。
【００７１】
これにより、このハーフミラー板１２３に、この演出役物１２２の像を屈折させると共に、画像表示部１２４から投影された画像を反射させることができる状態になり（図５（ｂ）の符号Ｂ，Ｃ参照）、その結果、遊技者１３０に、演出役物１２２の像と画像表示部１２４の画像とを、重なり合った状態で同時に視認させることが可能になる。
【００７２】
以上説明したように、この実施の形態４では、上述の実施の形態１〜３と同様、演出状態で、遊技者１３０の前方斜め上方向にハーフミラー板１２３を略水平に配置すると共に、このハーフミラー板１２３の上方に演出役物１２２を配置し、更に、そのハーフミラー板１２３の下方に画像表示部１２４を配置した。これにより、この実施の形態４によれば、画像表示部１２４がハーフミラー板１２３に投影して反射した画像と、そのハーフミラー板１２３を透過した演出役物１２２の像とを遊技者１３０に同時に視認させることができるので、パチンコ機４００の横方向の寸法を増大させること無しに、非常に大がかりで興趣性の高い演出を行うことができる。
【００７３】
更に、上述の実施の形態１〜３と同様、遊技部１１０の上方から遊技者１３０側に演出物収容部１２１を突設し、演出状態でのみ、演出役物１２２の像や画像表示部１２４の画像を遊技者１３０に視認させるので、非常に高い興趣性を得ることができる。
【００７４】
加えて、この実施の形態４では、ハーフミラー板１２３を略水平にシフト移動させることで、演出物収容部１２１の外側へ出すこととした。図５（ａ）及び（ｂ）からも解るように、演出役物１２２、ハーフミラー板１２３及び画像表示部１２４の中で、ハーフミラー板１２３が最も寸法が大きく、このため、回転移動させるときの回転半径も大きい。従って、このハーフミラー板１２３の動きを水平方向のシフト移動とすることで、演出物収容部１２１の高さ寸法Ｘ３（図５（ａ）参照）を抑えることが、上述の実施の形態１の場合よりも容易になり、従って、遊技者１３０の見やすい高さにハーフミラー板１２３や遊技盤１１１を配置することが非常に容易になる。
【００７５】
［発明の実施の形態５］
この発明の実施の形態１に係る遊技機について、スロットマシンの場合を例に採り、図６及び図７を用いて説明する。
【００７６】
なお、図６及び図７において、図１及び図２と同じ符号を附した構成要素は、これら図１及び図２と同じものを示している。
【００７７】
図６及び図７に示したように、この実施の形態５に係るスロットマシン５００は、遊技部５１０と、演出部５２０とを備えている。
【００７８】
遊技部５１０は、本体５１１、前扉５１２、リール５１３、レバー５１４等を備えている。この遊技部５１０の構成は、通常のスロットマシンの場合と同様で良いため、詳細な説明を省略する。
【００７９】
演出部５２０は、遊技部５１０の上方に配置されている。そして、この演出部５２０は、図６及び図７に示したように、演出役物１２２、ハーフミラー板１２３及び画像表示部１２４を備える。この実施の形態５では、これら演出役物１２２、ハーフミラー板１２３及び画像表示部１２４を、スロットマシン５００内に固定しており、このため、外部に移動することは無い。
【００８０】
そして、ハーフミラー板１２３と画像表示部１２４とが成す角は第１角度θ１に設定され、且つ、このハーフミラー板１２３と演出役物１２２とが成す角は第２角度θ２に設定されている。これにより、このハーフミラー板１２３を用いて、遊技者１３０に、演出役物１２２の像と画像表示部１２４の画像とを、重なり合った状態で同時に視認させることができる。
【００８１】
なお、この発明において、演出役物１２２は必須ではなく、後述の画像表示部１２４による投影画像のみを遊技者１３０に視認させても良い。その場合、ハーフミラー板１２３に代えて、全反射型のミラー板を使用してもよい。
【００８２】
遊技者１３０は、例えば着座した状態で、遊技部１１０の遊技部５１０と向き合う。遊技部５１０と遊技者１３０との距離は、例えば５００ｍｍである。
【００８３】
この実施の形態５では、演出役物１２２、ハーフミラー板１２３及び画像表示部１２４は、上述の実施の形態１〜５のような、上方への移動を行わない。そして、演出状態では、演出役物１２２の動作や点滅、画像表示部１２４による画像の変化等のみによって、演出を行う。
【００８４】
但し、上述の実施の形態１〜５と同様の移動機構を設けて、収容部では本体５１１の内部等に収容されると共に、演出状態ではその外部に移動することにしてもよい。
【００８５】
以上説明したように、この実施の形態５では、遊技者１３０の上方にハーフミラー板１２３を配置すると共に、このハーフミラー板１２３の更に上方に演出役物１２２を配置し、且つ、そのハーフミラー板１２３の下方に画像表示部１２４を配置した。これにより、この実施の形態５によれば、画像表示部１２４がハーフミラー板１２３に投影して反射した画像と、そのハーフミラー板１２３を透過した演出役物１２２の像とを遊技者１３０に同時に視認させることができるので、スロットマシン５００の横方向の寸法を増大させること無しに、非常に大がかりで興趣性の高い演出を行うことができる。
【００８６】
なお、ここでは、遊技機としてパチンコ機及びスロットマシンを例に採ったが、この発明を他の種類のゲーム機にも適用できることは、もちろんである。
【符号の説明】
【００８７】
１００，２００，３００，４００  パチンコ機
１１０，５１０  遊技部
１１１  遊技盤
１１２  遊技球発射ハンドル
１２０，５２０  演出部
１２１  演出物収容部
１２１ａ  底板
１２１ｂ  天板
１２１ｃ  側板
１２１ｄ  前面板
１２１ｅ  開口
１２２  演出役物
１２３  ハーフミラー板
１２４  画像表示部
１３０  遊技者
５００  スロットマシン
５１１  本体
５１２  前扉
５１３  リール
５１４  レバー
５２０  演出部
【図１】
2017086681.tif 000003
【図２】
2017086681.tif 000004
【図３】
2017086681.tif 000005
【図４】
2017086681.tif 000006
【図５】
2017086681.tif 000007
【図６】
2017086681.tif 000008
【図７】
2017086681.tif 000009